(57)【要約】【課題】着脱可能なペーパーサポート２２０の誤装着を防止することが可能なペーパーサポート２２０及びそのペーパーサポート２２０を備えたインクジェット式プリンタ１００を提供すること。【解決手段】用紙に画像等を記録するインクジェット式プリンタ１００に着脱可能であり、用紙を載置するペーパーサポート１２２であって、ペーパーサポート１２２は、インクジェット式プリンタ１００に装着する場合にプリンタ本体に差し込まれるサポート差込部２２０を有し、サポート差込部２２０には、インクジェット式プリンタ１００に正しく差し込まれる場合に差し込み可能となるように形成されたサポート切り欠き部２２１ａ、２２１ｂが設けられていることを特徴としている。これにより、ペーパーサポート１２２は、サポート差込部２２０が正しく差し込まれる場合には装着可能となる。よって、ペーパーサポート２２０の誤装着を防止することができる。【選択図】図８
2007276908.tif 000002
【特許請求の範囲】
【請求項１】
被記録媒体に画像等を記録する記録装置に着脱可能であり、前記被記録媒体を載置する被記録媒体トレイであって、
前記被記録媒体トレイは、前記記録装置に装着する場合に前記記録装置に差し込まれる差込部を有し、前記差込部には、前記記録装置に正しく差し込まれる場合に差し込み可能となるように形成された切り欠きが設けられていることを特徴とする被記録媒体トレイ。
【請求項２】
前記切り欠きは、複数設けられており、
前記複数の切り欠きは、前記差込部の差込方向の中心線に対して左右非対称な位置に設けられていることを特徴とする請求項１に記載の被記録媒体トレイ。
【請求項３】
前記被記録媒体トレイは、記録された被記録媒体を載置することを特徴とする請求項１または２に記載の被記録媒体トレイ。
【請求項４】
前記被記録媒体に記録する記録装置であって、
請求項１〜３の何れか一項に記載の被記録媒体トレイを備えたことを特徴とする記録装置。
【請求項５】
前記記録装置には、前記差込部が差し込まれる差込口が設けられており、
前記差込口には、前記差込部が前記差込口に正しく差し込まれる場合に、前記差込部の前記切り欠きと嵌合するように突起部が設けられていることを特徴とする請求項４に記載の記録装置。
【請求項６】
前記被記録媒体トレイは、供給される被記録媒体を載置する第１被記録媒体トレイと、排出される被記録媒体を載置する第２被記録媒体トレイとを含み、
前記差込口として、前記第１被記録媒体トレイが装着可能な第１差込口と、前記第２被記録媒体トレイが装着可能な第２差込口とを備え、
前記第１被記録媒体トレイの前記差込部は、前記第２差込口に差し込み不可能であり、前記第２被記録媒体トレイの前記差込部は、前記第１差込口に差し込み不可能であることを特徴とする請求項４または５に記載の記録装置。
【請求項７】
前記第１差込口には、前記第１被記録媒体トレイが正しく差し込まれる場合に前記切り欠きと嵌合する前記突起部が設けられており、
前記第２差込口には、前記第２被記録媒体トレイが正しく差し込まれる場合に前記切り欠きと嵌合する前記突起部が設けられていることを特徴とする請求項６に記載の記録装置。
【発明の詳細な説明】
【技術分野】
【０００１】
本発明は、被記録媒体を載置する記録装置に着脱可能な被記録媒体トレイと、該被記録媒体トレイを備えた記録装置に関する。
【背景技術】
【０００２】
記録装置の１つであるインクジェット式プリンタや熱転写式プリンタは、画像を記録する用紙が載置された給紙トレイから用紙を搬送し、記録ヘッドが搭載されたキャリッジを用紙の搬送直交方向（主走査方向）に往復移動させることにより記録し、画像が記録された用紙を排紙トレイへ搬送して載置させる。
【０００３】
このような記録装置においては、給紙トレイや排紙トレイ等の被記録媒体トレイが記録装置の本体から着脱可能になっているものがある（特許文献１参照）。
【０００４】
【特許文献１】特開２００３−２０１０３４号公報
【発明の開示】
【発明が解決しようとする課題】
【０００５】
上述したような記録装置においては、被記録媒体トレイを記録装置本体から離脱させることができる。このため、記録装置の未使用時において、記録装置をコンパクトにしておくことができる。
【０００６】
しかしながら、このような記録装置では、給紙トレイ及び排紙トレイ等の複数枚の被記録媒体トレイを備えているため、記録装置に装着する場合に、給紙トレイや排紙トレイを間違えて装着してしまう可能性がある。また、被記録媒体トレイの裏表を間違えて装着してしまう可能性もある。そして、複数枚の被記録媒体の載置面は、それぞれ給紙、排紙に適した形状に成形されているため、給紙トレイと拝紙トレイとを間違えたり、被記録媒体トレイの裏表を間違えて装着すると用紙の搬送に悪影響を及ぼす。
【０００７】
本発明は、上記のような種々の課題に鑑みなされたものであり、その目的は、記録装置から着脱可能な被記録媒体トレイの誤装着を防止することが可能な被記録媒体トレイ及びその被記録媒体トレイを備えた記録装置を提供することにある。
【課題を解決するための手段】
【０００８】
上記目的達成のため、本発明では、被記録媒体に画像等を記録する記録装置に着脱可能であり、前記被記録媒体を載置する被記録媒体トレイであって、前記被記録媒体トレイは、前記記録装置に装着する場合に前記記録装置に差し込まれる差込部を有し、前記差込部には、前記記録装置に正しく差し込まれる場合に装着可能となるように形成された切り欠きが設けられていることを特徴としている。これにより、被記録媒体トレイは、切り欠きにより、差込部が正しく差し込まれる場合には装着可能となる。よって、被記録媒体トレイの誤装着を防止することができる。
【０００９】
また、前記切り欠きは、複数設けられており、前記複数の切り欠きは、前記差込部の差込方向の中心線に対して左右非対称な位置に設けられていることを特徴としている。これにより、被記録媒体トレイの切り欠きは、差込部の表と裏で形成されている位置関係が異なることになる。そのため、被記録媒体トレイの差込部が差し込まれる部分の形状を、差込部が正しい向きの、切り欠きの形状に合わせることにより、被記録媒体トレイを装着する場合に、被記録媒体トレイの裏表を間違えて装着することを防止することが可能となる。仮に、被記録媒体トレイが複数ある場合でも、それぞれの被記録媒体トレイで、切り欠きを異なる位置で左右非対称に形成することによって、複数枚の被記録媒体トレイ同士を間違えて装着する誤装着を防止することも可能となる。
【００１０】
また、前記被記録媒体トレイは、記録された被記録媒体を載置することを特徴としている。これにより、記録された被記録媒体を載置する被記録媒体トレイを間違えて装着することを防止することができる。
【００１１】
上記目的達成のため、本発明の記録装置では、前記被記録媒体に記録する記録装置であって、上述する各被記録媒体トレイを備えたことを特徴としている。これにより、上記各作用効果を奏する記録装置を提供することができる。
【００１２】
また、前記記録装置には、前記差込部が差し込まれる差込口が設けられており、前記差込口には、前記差込部が前記差込口に正しく差し込まれる場合に、前記差込部の前記切り欠きと嵌合するように突起部が設けられていることを特徴としている。これにより、差込口の、切り欠きに嵌合する位置に突起部を設けるという簡易な構成で、被記録媒体トレイの誤装着を防止することが可能となる。
【００１３】
また、前記被記録媒体トレイは、供給される被記録媒体を載置する第１被記録媒体トレイと、排出される被記録媒体を載置する第２被記録媒体トレイとを含み、前記差込口として、前記第１被記録媒体トレイが装着可能な第１差込口と、前記第２被記録媒体トレイが装着可能な第２差込口とを備え、前記第１被記録媒体トレイの前記差込部は、前記第２差込口に差し込み不可能であり、前記第２被記録媒体トレイの前記差込部は、前記第１差込口に差し込み不可能であることを特徴としている。
【００１４】
これにより、供給用の被記録媒体トレイと排出用の被記録媒体トレイという複数の着脱可能な被記録媒体トレイを備えていた場合でも、差込口に対応する切り欠きが形成された被記録媒体トレイのみが装着されることになり、誤った差込口には被記録媒体トレイを装着することができなくなる。よって複数の着脱可能な被記録媒体トレイを備えた記録装置でも、各被記録媒体トレイの誤装着を防止することが可能となる。
【００１５】
また、前記第１差込口には、前記第１被記録媒体トレイが正しく差し込まれる場合に前記切り欠きと嵌合する前記突起部が設けられており、前記第２差込口には、前記第２被記録媒体トレイが正しく差し込まれる場合に前記切り欠きと嵌合する前記突起部が設けられていることを特徴としている。これにより、複数の差込口の、各切り欠きに嵌合する位置に突起部を設けるという簡易な構成で、複数の被記録媒体トレイの誤装着を防止することが可能となる。
【発明を実施するための最良の形態】
【００１６】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１７】
図１は、本発明の一実施形態に係る記録装置の１つであるインクジェット式プリンタの外部構成全体の斜視図、図２は、このインクジェット式プリンタのペーパーサポート及びスタッカ取付時の外部構成全体の斜視図、図３は、その内部構成の概略を示す斜視図であり、図４は、その内部構成概略を示す断面側面図である。このインクジェット式プリンタ１００は、例えば名刺、カード、Ｌ判／２Ｌ判、ハガキ、六切やＪＩＳ規格のＡ６判からＡ４判までのサイズの単票紙と、例えばＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）等の光ディスクのレーベル面に記録することができる機能を備えている。
【００１８】
インクジェット式プリンタ１００は、図１及び図２に示すように全体が幅方向に長く延びる略直方体状の上部ハウジング１０１と下部ハウジング１０２とを備えている。上部ハウジング１０１と下部ハウジング１０２とは、締結されている。
【００１９】
そして、上部ハウジング１０１の上面における図示左後方側には操作部１１０が配設され、上面における背面側には給紙部１２０が配設され、前面側には排紙部１３０が配設されている。更に、このインクジェット式プリンタ１００の内部には、図３及び図４に示すように、用紙搬送部１４０、及び記録部１５０が配設されている。
【００２０】
また、上部ハウジング１０１の上部後方から前面部にかけて開口部１０３が形成されている。この開口部１０３は、開閉自在なプリンタカバー１０４によって覆われている。ユーザは、プリンタカバー１０４を持ち上げて開口部１０３を開放することにより、インクカートリッジの交換作業や用紙搬送部１４０や記録部１５０等の内部機構のメンテナンス作業等を簡易に行うことができる。
【００２１】
操作部１１０は、図１に示すように、パワーをオン・オフするパワー系、用紙の頭出し等を操作したりインクのフラッシング等を操作したりする操作系、画像処理等を行う処理系等のボタン１１３が配設されている。操作部１１０下方のインクジェット式プリンタ１００の内部には、プリンタコントローラを構成する図示しないメイン基板が配設されていて、ＣＰＵ、ＲＯＭ、ＲＡＭ、ＡＳＩＣ等の制御素子や記憶素子、及びその他の各種回路素子が装着されている。メイン基板上端には、パワー系、操作系のボタン１１３が押された時にそれぞれ発光して、ユーザにボタン１１３のオン・オフを確認し得るように配置されたＬＥＤがボタン１１３ごとに突設されている。
【００２２】
給紙部１２０は、図１及び図２に示すように、上方に向かって矩形状に開口した給紙口１２１と、給紙する用紙を１枚もしくは複数枚サポートするペーパーサポート１２２（第１被記録媒体トレイ）を備えている。このペーパーサポート１２２は、プリンタ本体の後壁部に形成されたサポート差込口１２３（第１差込口）（図７参照）に差し込んで取り付けることができる。従って、ユーザは、インクジェット式プリンタ１００の使用又は不使用に応じて、ペーパーサポート１２２を自由に着脱することができる。したがって、不使用時においては、ペーパーサポート１２２を離脱させておくことにより、インクジェット式プリンタ１００をコンパクトにすることができる。
【００２３】
このペーパーサポート１２２の下方側には、図２及び図３に示すように、用紙の両サイドエッジをガイドする固定エッジガイド２３と可動エッジガイド２４等を備えている。固定エッジガイド２３は、図示右側壁に沿う形状でホッパ４１と一体形成され、可動エッジガイド２４は、図示左側壁に沿う形状に形成されている。可動エッジガイド２４は、後壁のガイドレールに沿って図示左側壁から右側壁の方向に摺動可能なように取り付けられている。固定エッジガイド２３と可動エッジガイド２４とは、用紙のサイズが異なっても確実に用紙の両側縁をガイドすることができるので、給送を高精度に行うことができる。
【００２４】
排紙部１３０は、図２に示すように、前方に向かって矩形状に開口した排紙口１３１と、排紙される用紙を１枚もしくは複数枚スタックする機能を併せ持ったスタッカ１３２（第２被記録媒体トレイ）を備えている。このスタッカ１３２は、排紙口１３１の下方のプリンタ本体に形成されたスタッカ差込口１３３（第２差込口）に差し込んで取り付けることができる。従って、ユーザは、インクジェット式プリンタ１００の使用又は不使用に応じて、スタッカ１３２を自由に着脱することができる。したがって、不使用時においては、スタッカ１３２を離脱させておくことにより、インクジェット式プリンタ１００をコンパクトにすることができる。更に、記録後の用紙は常に前面側から排紙されるので、ユーザは用紙を容易に取り出すことができる。
【００２５】
用紙搬送部１４０は、図４に示すように、給紙部１２０から排紙部１３０に掛けて配設されており、自動給紙機構１４１、搬送機構１４２、排紙機構１４３を備えている。自動給紙機構１４１は、ペーパーサポート１２２にサポートされている用紙を給送するために持ち上げるホッパ４１、このホッパ４１により持ち上げられた用紙を取り出す給紙ローラ４２、この給紙ローラ４２により重送された用紙を１枚のみに分離するリタードローラ４３、このリタードローラ４３により分離された残りの用紙をホッパ４１へ戻す紙戻しレバー４４等を備えている。
【００２６】
ホッパ４１は、用紙が載置可能な平板状に形成されて後壁と略平行に配設されており、下端が給紙ローラ４２の近傍に位置し、上端が後壁頂部に近接して位置するように配設されている。そして、ホッパ４１は、後壁に一端が取り付けられた図示しない圧縮バネの他端が下端側の裏面に取り付けられており、この圧縮バネの伸縮により上端側を中心に下端側が旋回するように配設されている。
【００２７】
給紙ローラ４２は、断面の一部が切り欠かれたＤ字状に形成されてホッパ４１の下端近傍に配設されており、間欠的に回転してホッパ４１により持ち上げられた用紙を摩擦給送するようになっている。リタードローラ４３は、給紙ローラ４２と当接可能に配設されており、給紙ローラ４２により用紙が重送されたときに最上層の用紙のみを下層の用紙から摩擦分離するようになっている。紙戻しレバー４４は、爪状に形成されて給紙ローラ４２の近傍に配設されており、リタードローラ４３により分離された下層の用紙を爪に掛けてホッパ４１へ戻すようになっている。
【００２８】
搬送機構１４２は、記録動作に同期して副走査方向に用紙を送る紙送りローラ４５とその従動ローラ４６等が配設されている。紙送りローラ４５は、プラテン１５３の搬送上流側に配設されており、給紙ローラ４２により給送される用紙を従動ローラ４６と共に挟持してプラテン１５３へ送り出すようになっている。
【００２９】
排紙機構１４３は、排紙ローラ４７と第１ギザローラ４８ａ及び第２ギザローラ４８ｂ等を備えている。第１ギザローラ４８ａは、プラテン１５３の搬送下流側に配設され、第２ギザローラ４８ｂと排紙ローラ４７は、第１ギザローラ４８ａの搬送下流側に対向配設されており、プラテン１５３を通過してくる用紙を先ず第１ギザローラ４８ａで排送し、続いて第２ギザローラ４８ｂと排紙ローラ４７で挟持してスタッカ１３２上へ排紙するようになっている。尚、第１ギザローラ４８ａ及び第２ギザローラ４８ｂは、図示しない同一の保持部材により保持されている。
【００３０】
記録部１５０には、記録動作に同期して主走査方向に移動するキャリッジ１５１、記録動作に同期してインクを吐出する記録ヘッド１５２、記録時の用紙を平坦に保持するプラテン１５３等が配設されている。キャリッジ１５１は、プラテン１５３の上方でキャリッジガイド１５４に支持されてキャリッジベルト１５５に連結されており、キャリッジモータ１５６によってキャリッジベルト１５５が作動すると、キャリッジベルト１５５の動きに連行され、キャリッジガイド１５４に案内されて往復移動するようになっている。このキャリッジ１５１の内部には、複数のインクカートリッジが抜き差し可能なカートリッジ収納部が形成されている。
【００３１】
記録ヘッド１５２は、プラテン１５３と所定の間隔が空くようにしてキャリッジ１５１に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５２は、圧力発生室とそれに繋がるノズル開口がノズルプレートに設けられており、圧力発生室内にインクを貯留して所定圧で加圧することにより、ノズル開口から用紙に向けてコントロールされた大きさのインク滴を吐出するようになっている。
【００３２】
次に、本発明の特徴的な部分であるペーパーサポート１２２及びスタッカ１３２について図を参照して説明する。
【００３３】
図５は、ペーパーサポート１２２を示す図であり、図５（ａ）はペーパーサポート１２２の正面図であり、図５（ｂ）はペーパーサポート１２２の側面図である。まず、ペーパーサポート１２２について図５を用いて説明する。
【００３４】
図５（ａ）に示すように、ペーパーサポート１２２は、略台形状の板状部材であり、台形の下底に当たる部分の略中央にサポート差込部２２０を備えている。このサポート差込部２２０は、上述したサポート差込口１２３に差し込まれる部材であり、ペーパーサポート１２２は、このサポート差込部２２０が差し込まれることによって装着される。このサポート差込部２２０には、サポート切り欠き部２２１ａ及び２２１ｂが形成されている。また、図５（ｂ）に示すように、ペーパーサポート１２２は、用紙を載置するサポート載置面１２２ａ及びサポート裏面１２２ｂを有しており、サポート載置面１２２ａは、用紙の給紙を円滑に行うことが可能な形状に形成されている。そして、ペーパーサポート１２２は、側面形状が略弧状となっており、サポート載置面１２２ａの長さが、サポート裏面１２２ｂと比べて用紙搬送方向に長く形成されている。次に、スタッカ１３２について図６を用いて説明する。
【００３５】
図６は、スタッカ１３２を示す図であり、図６（ａ）はスタッカ１３２の正面図であり、図６（ｂ）はスタッカ１３２の側面図である。
【００３６】
図６（ａ）に示すように、スタッカ１３２は、台形状の板状部材であり、台形の下底に当たる部分の略中央にスタッカ差込部３２０を備えている。このスタッカ差込部３２０は、上述したスタッカ差込口１３３に差し込まれる部材であり、スタッカ１３２は、このスタッカ差込部３２０が差し込まれることによって装着される。このスタッカ差込部３２０には、スタッカ切り欠き部３２１ａ及び３２１ｂが形成されている。また、図６（ｂ）に示すように、スタッカ１３２は、用紙を載置するスタッカ載置面１３２ａ及びスタッカ裏面１３２ｂを有しており、スタッカ載置面１３２ａは、用紙の排出が円滑に行われる形状に形成されている。そして、スタッカ１３２は、側面形状が略弧状となっており、スタッカ載置面１３２ａの長さが、スタッカ裏面１３２ｂと比べて用紙搬送方向に短く形成されている。次に、このペーパーサポート１２２及びスタッカ１３２の装着態様について図７を用いて説明する。
【００３７】
図７は、ペーパーサポート１２２、スタッカ１３２をインクジェット式プリンタ１００に装着する場合の詳細を示す図であり、図７（ａ）は、ペーパーサポート１２２が下部ハウジング１０２に形成されたサポート差込口１２３に装着される図であり、図７（ｂ）は、スタッカ１３２が、下部ハウジング１０２に形成されたスタッカ差込口１３３に装着される図である。
【００３８】
図７（ａ）に示すように、ペーパーサポート１２２は、サポート差込部２２０をサポート差込口１２３に差し込むことによって装着される。このサポート差込口１２３には、サポート突起部３３１ａ及び３３１ｂが、用紙搬送方向に延びるように形成されている。そして、サポート差込部２２０が正しく差し込まれた場合にサポート切り欠き部２２１ａとサポート突起部２３１ａ、サポート切り欠き部２２１ａとサポート突起部２３１ｂはそれぞれ嵌合する。
【００３９】
さらに、ペーパーサポート１２２は、差し込まれる場合に、サポート突起部２３１ａ及び２３１ｂが、サポート切り欠き部２２１ａ及び２２１ｂと嵌合するため差込方向に案内されることになる。これにより、ペーパーサポート１２２はサポート突起部２３１ａ及び２３１ｂにより差込方向に案内されるため、差込方向から左右にぶれることなくペーパーサポート１２２を容易に差し込むことができる。
【００４０】
図７（ｂ）に示すように、スタッカ１３２は、スタッカ差込部３２０をスタッカ差込口１３３に差し込むことによって装着される。このスタッカ差込口１３３には、スタッカ突起部３３１ａ及び３３１ｂが、用紙搬送方向に延びるように形成されている。そして、スタッカ差込部３２０が正しく差し込まれた場合にスタッカ切り欠き部３２１ａとスタッカ突起部３３１ａ、スタッカ切り欠き部３２１ａとスタッカ突起部３３１ｂはそれぞれ嵌合する。
【００４１】
また、スタッカ１３２は、差し込まれる場合に、用紙搬送方向に延びたスタッカ突起部３３１ａ及び３３１ｂが、スタッカ切り欠き部３２１ａ及び３２１ｂと嵌合するため差込方向に案内されることになる。これにより、スタッカ１３２はサポート突起部３３１ａ及び３３１ｂにより差込方向に案内されるため、差込方向から左右にぶれることなくスタッカ１３２を容易に差し込むことができる。
【００４２】
さらに、ペーパーサポート１２２、スタッカ１３２は、それぞれの部材の裏表を間違えて装着したり、ペーパーサポート１２２とスタッカ１３２とを間違えて装着する、誤装着を防止することが可能となっている。次に、この誤装着の防止について、図７及び図８を用いて詳細に説明する。
【００４３】
図８は、サポート差込部２２０とスタッカ差込部３２０の詳細を示す図であり、図８（ａ）は、サポート差込部２２０の詳細図であり、図８（ｂ）は、スタッカ差込部３２０の詳細図である。まず、サポート差込部２２０の詳細について説明する。
【００４４】
図８（ａ）示すように、サポート差込部２２０にはサポート切り欠き部２２１ａ及び２２１ｂが形成されており、櫛状に形成されている。サポート差込部２２０の主走査方向における両端には、副走査方向に延びた形状であって、主走査方向に沿って外側に突出した形状であるサポート係止部２２２が設けられている。
【００４５】
このサポート差込部２２０は、主走査方向の幅がそれぞれ、サポート差込口１２３の幅と略同じであり、サポート差込部２２０をサポート差込口１２３に差し込むことにより、サポート係止部２２２がサポート差込口１２３の内部においてプリンタ本体と係止されることとなり、ペーパーサポート１２２がプリンタ本体に装着された状態を維持できるようになっている。
【００４６】
サポート差込部２２０では、サポート切り欠き部２２１ａは、サポート差込部２２０の差込方向の中心線から、距離ｗ（本実施形態では２５ｍｍ）離れた位置に形成されているのに対し、サポート切り欠き部２２１ｂは、サポート差込部２２０の差込方向の中心線から、サポート切り欠き部２２１ａの反対側に距離ｘ（本実施形態では２０ｍｍ）離れた位置に形成されている。
【００４７】
つまり、本実施形態のサポート差込部２２０では、サポート切り欠き部２２１ａ及び２２１ｂが形成されている位置が、差込方向の中心線から左右で異なっている。このため、サポート差込部２２０の表面と裏面では、サポート差込部２２０におけるサポート切り欠き部２２１ａ及び２２１ｂの位置関係が変わることになる。これにより、ペーパーサポート１２２の裏表を間違えると、サポート突起部２３１ａ及び２３１ｂとサポート切り欠き部２２１ａ及び２２１ｂとが嵌合しなくなるため、ペーパーサポート１２２を装着することができなくなる。従って、ペーパーサポート１２２は、裏表を間違えることによる誤装着を防止することができる。
【００４８】
図８（ｂ）示すように、スタッカ差込部３２０には、スタッカ切り欠き部３２１ａ及び３２１ｂが形成されており、櫛状に形成されている。スタッカ差込部３２０の主走査方向における両端には、副走査方向に延びた形状であって、主走査方向に沿って外側に突出した形状であるスタッカ係止部３２２が設けられている。
【００４９】
このスタッカ差込部３２０は、主走査方向の幅がそれぞれ、スタッカ差込口１３３の幅と略同じであり、スタッカ差込部３２０をスタッカ差込口１３３に差し込むことにより、スタッカ係止部３２２がスタッカ差込口１３３の内部においてプリンタ本体と係止されることとなり、スタッカ１３２がプリンタ本体に装着された状態を維持できるようになっている。
【００５０】
スタッカ差込部３２０では、スタッカ切り欠き部３２１ａは、スタッカ差込部３２０の差込方向の中心線から、距離ｙ（本実施形態では２０ｍｍ）離れた位置に形成されているのに対し、スタッカ切り欠き部３２１ｂは、スタッカ差込部３２０の差込方向の中心線から、スタッカ切り欠き部３２１ａの反対側に距離ｚ（本実施形態では１５ｍｍ）離れた位置に形成されている。
【００５１】
つまり、本実施形態のスタッカ差込部３２０では、スタッカ切り欠き部３２１ａ及び３２１ｂが形成されている位置が、差込方向の中心線から左右で異なっている。このため、スタッカ差込部３２０の表面と裏面では、スタッカ差込部３２０におけるスタッカ切り欠き部３２１ａ及び３２１ｂの位置関係が変わることになる。これにより、スタッカ１３２の裏表を間違えると、スタッカ突起部３３１ａ及び３３１ｂとスタッカ切り欠き部３２１ａ及び３２１ｂとが嵌合しなくなるため、スタッカ１３２を装着することができなくなる。従って、スタッカ１３２は、裏表を間違えることによる誤装着を防止することができる。
【００５２】
さらに、ペーパーサポート１２２及びスタッカ１３２では、サポート切り欠き部２２１ａと２２１ｂの間隔は、ｗ＋ｘ＝２５ｍｍ＋２０ｍｍ＝４５ｍｍであるのに対し、スタッカ切り欠き部３２１ａと３２１ｂの間隔は、ｙ＋ｚ＝２０ｍｍ＋１５ｍｍ＝３５ｍｍであり、長さが異なっている。そのため、ペーパーサポート１２２をスタッカ差込口１３２に差し込もうとしても、スタッカ突起部３３１ａ、３３１ｂ間の長さはスタッカ切り欠き部３２１ａ及び３２１ｂに合わせて３５ｍｍで形成されているため、装着されることがない。これは、スタッカ１３２をサポート差込口１２３に装着しようとする場合も同じである。
【００５３】
このように、ペーパーサポート１２２とスタッカ１３２とでは、サポート切り欠き部２２１ａと２２１ｂの間隔及びスタッカ切り欠き部３２１ａと３２１ｂの間隔を、それぞれ異なるように形成しているため、ペーパーサポート１２２、スタッカ１３２を間違えて装着する誤装着を防止することができる。
【００５４】
また、本実施形態のペーパーサポート１２２及びスタッカ１３２は、どちらも平面が台形状で側面が弧状の板状部材で、似た形状の部材であり、サポート裏面１２２ｂとスタッカ載置面１３２ａとは、似ている事から間違えて取り付けられる可能性が非常に高い。しかし、ペーパーサポート１２２及びスタッカ１３２では、それぞれ、装着される位置と向きが決められており、その位置とその向き以外には装着されない態様となっているため、ペーパーサポート１２２及びスタッカ１３２の形状が似ている形状であっても、確実に誤装着を防止することができる。そして、用紙の搬送精度を高精度に保つことが可能となる。
【００５５】
尚、本実施形態では、ペーパーサポート１２２のサポート切り欠き部２２１ａ及び２２１ｂ、サポート突起部２３１ａ及び２３１ｂと、スタッカ１３２のスタッカ切り欠き部３２１ａ及び３２１ｂ、スタッカ突起部３３１ａ及び３３１ｂとは、２つずつ形成されているが、本願の実施形態はこれに限定されるものではない。例えは、サポート切り欠き部とサポート突起部及びスタッカ切り欠き部とスタッカ突起部とは、１つずつでも構わないし、３つ以上ずつでも構わない。切り欠きと突起の数が1つずつの場合は、サポート差込部２２０とスタッカ差込部３２０との表面でも裏面でも、切り欠きの位置が一致しないようにに形成する必要がある。
【００５６】
また、ペーパーサポート１２２とスタッカ１３２の切り欠きと、切り欠きと嵌合する突起の数は、ペーパーサポート１２２とスタッカ１３２とで異なっていても構わない。例えば、ペーパーサポートでは、サポート切り欠き部とサポート突起部を３つずつ設け、スタッカ１３２では、スタッカ切り欠き部とスタッカ突起部を４つずつ設けても構わない。
【００５７】
また、本実施形態では、ｗは２５ｍｍ、ｘは２０ｍｍ、ｙは２０ｍｍ、ｚは１５ｍｍとなっているが、これらの長さはこの値に限定されるものではなく、サポート差込部２２０、スタッカ差込部３２０の大きさにより変更することが可能である。なお、ｗの長さはｘの長さより長い必要があり、ｙの長さはｚより長い必要がある。そして、サポート差込部２２０とスタッカ差込部３２０の幅が異なる場合には、ｗとｚを合わせた長さは、ｙとｚを合わせた長さと異なる必要がある。
【産業上の利用可能性】
【００５８】
被記録媒体トレイを備えた記録装置であれば、例えばファクシミリ装置、コピー装置等であっても適用可能である。
【図面の簡単な説明】
【００５９】
【図１】本発明の一実施の形態に係る記録装置の１つであるインクジェット式プリンタの外観構成全体の斜視図である。
【図２】図１のプリンタのペーパーサポート及びスタッカ取付時の外部構成全体の斜視図である。
【図３】図１のプリンタの内部構成の概略を示す斜視図である。
【図４】図１のプリンタの内部構成の概略を示す断面側面図である。
【図５】図１のプリンタのペーパーサポートの平面図と側面図である。
【図６】図１のプリンタのスタッカの平面図と側面図である。
【図７】図１のサポート差込部とスタッカ差込部の拡大平面図である。
【図８】図１のペーパーサポートとスタッカの装着態様の細部を示す図である。
【符号の説明】
【００６０】
１００  インクジェット式プリンタ、１０１  上部ハウジング、１０２  下部ハウジング、１０２ａ  下部ハウジング後壁、１１０  操作部、１２０  給紙部、１２２  ペーパーサポート、１２２ａ  サポート載置面、１２２ｂ  サポート裏面、１２３  サポート差込口、１３０  排紙部、１３２  スタッカ、１３２ａ  スタッカ載置面、１３２ｂ  スタッカ裏面、１３３  スタッカ差込口、１４０  用紙搬送部、１４０  記録部、１５２  記録ヘッド、１５３  プラテン、２２０  サポート差込部、２２１ａ、２２１ｂ  サポート切り欠き部、２２２  サポート係止部、２３１ａ、２３１ｂ  サポート突起部、３２０  スタッカ差込部、３２１ａ、３２１ｂ  スタッカ切り欠き部、３２２  スタッカ係止部、３３１ａ、３３１ｂ  スタッカ突起部。
【図１】
2007276908.tif 000003
【図２】
2007276908.tif 000004
【図３】
2007276908.tif 000005
【図４】
2007276908.tif 000006
【図５】
2007276908.tif 000007
【図６】
2007276908.tif 000008
【図７】
2007276908.tif 000009
【図８】
2007276908.tif 000010